(57)【要約】【課題】端末装置とハンドオーバ元の基地局装置との通信の品質が劣化しても、ハンドオーバの失敗を抑制することができる端末装置などを提供する。【解決手段】端末装置（移動端末装置２１−１）は、基地局装置（マクロ基地局装置１−１〜１−２や小セル基地局装置２−１〜２−３）との間で無線により通信する無線通信部と、前記無線通信部により、主となる基地局装置（ＰＣｅｌｌ）との間で無線通信が可能となるように接続するとともに、従となる基地局装置（ＳＣｅｌｌ）との間で無線通信が可能となるように接続する接続制御部と、前記主となる基地局装置のハンドオーバの処理において、前記ハンドオーバの処理に関する情報を前記無線通信部により前記従となる基地局装置へ無線により送信する情報送信制御部と、を備えることを特徴とする。【選択図】図１
2014165726.tif 000002
【特許請求の範囲】
【請求項１】
基地局装置との間で無線により通信する無線通信部と、
前記無線通信部により、主となる基地局装置との間で無線通信が可能となるように接続するとともに、従となる基地局装置との間で無線通信が可能となるように接続する接続制御部と、
前記主となる基地局装置のハンドオーバの処理において、前記ハンドオーバの処理に関する情報を前記無線通信部により前記従となる基地局装置へ無線により送信する情報送信制御部と、
を備えることを特徴とする端末装置。
【請求項２】
基地局装置との間で無線により通信する無線通信部と、
前記無線通信部により、主となる基地局装置との間で無線通信が可能となるように接続するとともに、従となる基地局装置との間で無線通信が可能となるように接続する接続制御部と、
前記主となる基地局装置のハンドオーバの処理において、前記ハンドオーバの処理に関する情報を前記無線通信部により前記従となる基地局装置から受信する情報受信制御部と、
を備えることを特徴とする端末装置。
【請求項３】
端末装置との間で無線により通信する無線通信部と、
従となる基地局装置として前記無線通信部により端末装置との間で無線通信が可能であるように接続しているときに、前記端末装置からハンドオーバの処理に関する情報を受信する従情報受信制御部と、
従となる基地局装置として前記無線通信部により端末装置との間で無線通信が可能であるように接続しているときに、前記従情報受信制御部により受信したハンドオーバの処理に関する情報を、主となる基地局装置として前記端末装置との間で無線通信が可能であるように接続している又は接続していた基地局装置へ送信する従情報送信制御部と、
主となる基地局装置として前記無線通信部により端末装置との間で無線通信が可能であるように接続しているとき又は接続していたときに、従となる基地局装置として前記端末装置との間で無線通信が可能であるように接続している基地局装置からハンドオーバの処理に関する情報を受信する主情報受信制御部と、
を備えることを特徴とする基地局装置。
【請求項４】
端末装置との間で無線により通信する無線通信部と、
主となる基地局装置として前記無線通信部により端末装置との間で無線通信が可能であるように接続しているとき又は接続していたときに、ハンドオーバの処理に関する情報を、従となる基地局装置として前記端末装置との間で無線通信が可能であるように接続している基地局装置へ送信する主情報送信制御部と、
従となる基地局装置として前記無線通信部により端末装置との間で無線通信が可能であるように接続しているときに、主となる基地局装置として端末装置との間で無線通信が可能であるように接続している又は接続していた基地局装置からハンドオーバの処理に関する情報を受信する従情報受信制御部と、
従となる基地局装置として前記無線通信部により端末装置との間で無線通信が可能であるように接続しているときに、前記従情報受信制御部により前記主となる基地局装置から受信したハンドオーバの処理に関する情報を前記無線通信部により前記端末装置へ無線により送信する従情報送信制御部と、
を備えることを特徴とする基地局装置。
【請求項５】
端末装置と、複数の基地局装置を有し、
前記端末装置は、主となる基地局装置のハンドオーバの処理において、前記ハンドオーバの処理に関する情報を従となる基地局装置へ無線により送信し、
従となる基地局装置は、前記端末装置からハンドオーバの処理に関する情報を受信し、受信したハンドオーバの処理に関する情報を主となる基地局装置へ送信し、
前記主となる基地局装置は、前記従となる基地局装置からハンドオーバの処理に関する情報を受信する、
ことを特徴とする通信システム。
【請求項６】
端末装置と、複数の基地局装置を有し、
主となる基地局装置は、ハンドオーバの処理に関する情報を従となる基地局装置へ送信し、
前記従となる基地局装置は、前記主となる基地局装置から前記ハンドオーバの処理に関する情報を受信し、受信したハンドオーバの処理に関する情報を前記端末装置へ無線により送信し、
前記端末装置は、前記従となる基地局装置から前記ハンドオーバの処理に関する情報を受信する、
ことを特徴とする通信システム。
【請求項７】
端末装置は、主となる基地局装置のハンドオーバの処理において、前記ハンドオーバの処理に関する情報を従となる基地局装置へ無線により送信し、
従となる基地局装置は、前記端末装置からハンドオーバの処理に関する情報を受信し、受信したハンドオーバの処理に関する情報を主となる基地局装置へ送信し、
前記主となる基地局装置は、前記従となる基地局装置からハンドオーバの処理に関する情報を受信する、
ことを特徴とする通信方法。
【請求項８】
主となる基地局装置は、ハンドオーバの処理に関する情報を従となる基地局装置へ送信し、
前記従となる基地局装置は、前記主となる基地局装置から前記ハンドオーバの処理に関する情報を受信し、受信したハンドオーバの処理に関する情報を端末装置へ無線により送信し、
前記端末装置は、前記従となる基地局装置から前記ハンドオーバの処理に関する情報を受信する、
ことを特徴とする通信方法。
【発明の詳細な説明】
【技術分野】
【０００１】
本発明は、端末装置、基地局装置、通信システム及び通信方法に関する。
【背景技術】
【０００２】
３ＧＰＰで検討されているＬＴＥ−Ａｄｖａｎｃｅｄシステムでは、周波数利用効率とピークスループットの向上を目的として、複数の周波数帯域（コンポーネントキャリア（ＣＣ：Ｃｏｍｐｏｎｅｎｔ  Ｃａｒｒｉｅｒ））を同時に使用するキャリアアグリゲーション（ＣＡ：Ｃａｒｒｉｅｒ  Ａｇｇｒｅｇａｔｉｏｎ）技術が採用されている（非特許文献１参照。）。
【０００３】
キャリアアグリゲーションの一つの形態であるインターサイト  キャリアアグリゲーション（Ｉｎｔｅｒ−Ｓｉｔｅ  ＣＡ）では、移動端末装置（ＵＥ：Ｕｓｅｒ  Ｅｑｕｉｐｍｅｎｔ）は、異なる場所に設置された複数の基地局装置（ｅＮＢ：Ｅ−ＵＴＲＡＮ  ＮｏｄｅＢ）と同時に接続し、基地局装置毎に異なる周波数帯域（ＣＣ）を使用して通信する。
更に、基地局装置と移動端末装置との通信において、Ｃ−ＰｌａｎｅとＵ−Ｐｌａｎｅを分離して、それぞれを異なる基地局装置を介して伝送するネットワーク形態が提案されている（非特許文献２参照。）。
【０００４】
ここで、マクロセル（Ｍａｃｒｏ  Ｃｅｌｌ）のマクロ基地局装置とは、主に移動端末装置のカバレッジ確保のために広くエリア展開される基地局装置を指し、一例として８００ＭＨｚ帯などのキャリア周波数の帯域が利用される。また、小セル（Ｓｍａｌｌ  Ｃｅｌｌ）の小セル基地局装置とは、容量拡大のためにスポット的に設置されるカバレッジが狭い基地局装置を指し、一例として３．４ＧＨｚ帯などの高周波数の帯域が利用される。
また、キャリアアグリゲーションにおいて、移動端末装置と基地局装置とのＲＲＣ（Ｒａｄｉｏ  Ｒｅｓｏｕｒｃｅ  Ｃｏｎｔｒｏｌ）接続を管理する基地局装置をＰＣｅｌｌ（Ｐｒｉｍａｒｙ  Ｃｅｌｌ）と呼び、それ以外の基地局装置をＳＣｅｌｌ（Ｓｅｃｏｎｄａｒｙ  Ｃｅｌｌ）と呼ぶ。また、Ｃ−Ｐｌａｎｅは移動端末装置の接続管理やモビリティ制御を行うためのプロトコルであり、Ｕ−Ｐｌａｎｅはユーザトラヒックやスケジューリング情報の送受信に関するプロトコルである。
【０００５】
また、下りリンク（ＤＬ：Ｄｏｗｎ  Ｌｉｎｋ）は、基地局装置から移動端末装置への方向の通信を表し、上りリンク（ＵＬ：Ｕｐ  Ｌｉｎｋ）は、移動端末装置から基地局装置への方向の通信を表す。
【先行技術文献】
【非特許文献】
【０００６】
【非特許文献１】３ＧＰＰ  ＴＳ３６．３００  ｖ１１．３．０、  “Ｅ−ＵＴＲＡ  ａｎｄ  Ｅ−ＵＴＲＡＮ  ｏｖｅｒａｌｌ  ｄｅｓｃｒｉｐｔｉｏｎ”、  ２０１２−０９．
【非特許文献２】ＮＴＴ  ＤＯＣＯＭＯ  ＩＮＣ．、  “Ｒｅｑｕｉｒｅｍｅｎｔｓ，  Ｃａｎｄｉｄａｔｅ  Ｓｏｌｕｔｉｏｎｓ  ＆  Ｔｅｃｈｎｏｌｏｇｙ  Ｒｏａｄｍａｐ  ｆｏｒ  ＬＴＥ  Ｒｅｌ−１２  Ｏｎｗａｒｄ”、  ３ＧＰＰ  Ｗｏｒｋｓｈｏｐ  ｏｎ  Ｒｅｌｅａｓｅ  １２  ａｎｄ  ｏｎｗａｒｄｓ、  ＲＷＳ−１２００１０、  Ｊｕｎｅ  １１−１２、  ２０１２．
【発明の概要】
【発明が解決しようとする課題】
【０００７】
図８は、ＰＣｅｌｌのハンドオーバ（ＨＯ：Ｈａｎｄｏｖｅｒ）の失敗と再接続処理の例を説明するための図である。
図８に示される通信システムは、２個のマクロ基地局装置１００１−１〜１００１−２と、小セル基地局装置１００２−１と、移動端末装置１０２１−１ａを備える。また、図８には、各マクロ基地局装置１００１−１〜１００１−２のセル（通信領域）１０１１−１〜１０１１−２と、小セル基地局装置１００２−１のセル（通信領域）１０１２−１を示してあり、図８の例では、２個のマクロ基地局装置１００１−１〜１００１−２のセル１０１１−１〜１０１１−２と小セル基地局装置１００２−１のセル１０１２−１は、互いに重複する領域（エリア）を有している。また、図８には、移動端末装置１０２１−１ａが移動したものを、移動端末装置１０２１−１ｂとして示してある。
【０００８】
移動端末装置１０２１−１ａについて、マクロ基地局装置１００１−１がＰＣｅｌｌでありＣ−Ｐｌａｎｅを通信し、小セル基地局装置１００２−１がＳＣｅｌｌでありＵ−Ｐｌａｎｅを通信する、とする。また、マクロ基地局装置１００１−１のセル１０１１−１に存在する移動端末装置１０２１−１ａの位置からマクロ基地局装置１００１−２のセル１０１１−２に存在する移動端末装置１０２１−１ｂの位置へ、移動端末装置１０２１−１ａが移動する、とする。通信システムでは、次の処理（１）〜（３）を行う。
（１）移動端末装置１０２１−１ａのＰＣｅｌｌについてマクロ基地局装置１００１−１からマクロ基地局装置１００１−２へのハンドオーバの処理が実行中であるとき又は実行前であるときに、移動端末装置１０２１−１ａとＰＣｅｌｌとの通信品質が劣化し、移動端末装置１０２１−１ａとＰＣｅｌｌとの通信接続の切断（通信接続断）が発生すると、移動端末装置１０２１−１ａとＳＣｅｌｌとの通信品質に関わらず、移動端末装置１０２１−１ａと基地局ネットワークとの接続が切断される。これにより、ハンドオーバが失敗する。
（２）マクロ基地局装置１００１−２をＰＣｅｌｌとして再接続する移動端末装置１０２１−１ｂは、このＰＣｅｌｌとの再接続処理中にＳＣｅｌｌとの接続をリセット（接続断）する。
（３）このため、移動端末装置１０２１−１ｂは、ＳＣｅｌｌとの通信を行うためには、再度、ＳＣｅｌｌとの再接続処理を実施しなければならない。
【０００９】
上記のような処理（１）〜（３）において、移動端末装置１０２１−１ｂは、ＰＣｅｌｌとの通信切断後、新たな基地局装置との再接続が完了するまで、基地局ネットワークと通信することができず、また、ＳＣｅｌｌとの再接続には更なる時間を要するという問題があった。
【００１０】
本発明は、このような事情を考慮してなされたもので、端末装置とハンドオーバ元の基地局装置との通信の品質が劣化しても、ハンドオーバの失敗を抑制することができる端末装置、基地局装置、通信システム及び通信方法を提供することを課題とする。
【課題を解決するための手段】
【００１１】
（１）上記の課題を解決するために、本発明に係る端末装置は、基地局装置との間で無線により通信する無線通信部と、前記無線通信部により、主となる基地局装置との間で無線通信が可能となるように接続するとともに、従となる基地局装置との間で無線通信が可能となるように接続する接続制御部と、前記主となる基地局装置のハンドオーバの処理において、前記ハンドオーバの処理に関する情報を前記無線通信部により前記従となる基地局装置へ無線により送信する情報送信制御部と、を備えることを特徴とする。
【００１２】
（２）上記の課題を解決するために、本発明に係る端末装置は、基地局装置との間で無線により通信する無線通信部と、前記無線通信部により、主となる基地局装置との間で無線通信が可能となるように接続するとともに、従となる基地局装置との間で無線通信が可能となるように接続する接続制御部と、前記主となる基地局装置のハンドオーバの処理において、前記ハンドオーバの処理に関する情報を前記無線通信部により前記従となる基地局装置から受信する情報受信制御部と、を備えることを特徴とする。
【００１３】
（３）上記の課題を解決するために、本発明に係る基地局装置は、端末装置との間で無線により通信する無線通信部と、従となる基地局装置として前記無線通信部により端末装置との間で無線通信が可能であるように接続しているときに、前記端末装置からハンドオーバの処理に関する情報を受信する従情報受信制御部と、従となる基地局装置として前記無線通信部により端末装置との間で無線通信が可能であるように接続しているときに、前記従情報受信制御部により受信したハンドオーバの処理に関する情報を、主となる基地局装置として前記端末装置との間で無線通信が可能であるように接続している又は接続していた基地局装置へ送信する従情報送信制御部と、主となる基地局装置として前記無線通信部により端末装置との間で無線通信が可能であるように接続しているとき又は接続していたときに、従となる基地局装置として前記端末装置との間で無線通信が可能であるように接続している基地局装置からハンドオーバの処理に関する情報を受信する主情報受信制御部と、を備えることを特徴とする。
【００１４】
（４）上記の課題を解決するために、本発明に係る基地局装置は、端末装置との間で無線により通信する無線通信部と、主となる基地局装置として前記無線通信部により端末装置との間で無線通信が可能であるように接続しているとき又は接続していたときに、ハンドオーバの処理に関する情報を、従となる基地局装置として前記端末装置との間で無線通信が可能であるように接続している基地局装置へ送信する主情報送信制御部と、従となる基地局装置として前記無線通信部により端末装置との間で無線通信が可能であるように接続しているときに、主となる基地局装置として端末装置との間で無線通信が可能であるように接続している又は接続していた基地局装置からハンドオーバの処理に関する情報を受信する従情報受信制御部と、従となる基地局装置として前記無線通信部により端末装置との間で無線通信が可能であるように接続しているときに、前記従情報受信制御部により前記主となる基地局装置から受信したハンドオーバの処理に関する情報を前記無線通信部により前記端末装置へ無線により送信する従情報送信制御部と、を備えることを特徴とする。
【００１５】
（５）上記の課題を解決するために、本発明に係る通信システムは、端末装置と、複数の基地局装置を有し、前記端末装置は、主となる基地局装置のハンドオーバの処理において、前記ハンドオーバの処理に関する情報を従となる基地局装置へ無線により送信し、従となる基地局装置は、前記端末装置からハンドオーバの処理に関する情報を受信し、受信したハンドオーバの処理に関する情報を主となる基地局装置へ送信し、前記主となる基地局装置は、前記従となる基地局装置からハンドオーバの処理に関する情報を受信する、ことを特徴とする。
【００１６】
（６）上記の課題を解決するために、本発明に係る通信システムは、端末装置と、複数の基地局装置を有し、主となる基地局装置は、ハンドオーバの処理に関する情報を従となる基地局装置へ送信し、前記従となる基地局装置は、前記主となる基地局装置から前記ハンドオーバの処理に関する情報を受信し、受信したハンドオーバの処理に関する情報を前記端末装置へ無線により送信し、前記端末装置は、前記従となる基地局装置から前記ハンドオーバの処理に関する情報を受信する、ことを特徴とする。
【００１７】
（７）上記の課題を解決するために、本発明に係る通信方法は、端末装置は、主となる基地局装置のハンドオーバの処理において、前記ハンドオーバの処理に関する情報を従となる基地局装置へ無線により送信し、従となる基地局装置は、前記端末装置からハンドオーバの処理に関する情報を受信し、受信したハンドオーバの処理に関する情報を主となる基地局装置へ送信し、前記主となる基地局装置は、前記従となる基地局装置からハンドオーバの処理に関する情報を受信する、ことを特徴とする。
【００１８】
（８）上記の課題を解決するために、本発明に係る通信方法は、主となる基地局装置は、ハンドオーバの処理に関する情報を従となる基地局装置へ送信し、前記従となる基地局装置は、前記主となる基地局装置から前記ハンドオーバの処理に関する情報を受信し、受信したハンドオーバの処理に関する情報を端末装置へ無線により送信し、前記端末装置は、前記従となる基地局装置から前記ハンドオーバの処理に関する情報を受信する、ことを特徴とする。
【発明の効果】
【００１９】
本発明によれば、端末装置とハンドオーバ元の基地局装置との通信の品質が劣化しても、ハンドオーバの失敗を抑制することができる。
【図面の簡単な説明】
【００２０】
【図１】本発明の一実施形態に係る通信システムの概略的な構成を示すブロック図である。
【図２】本発明の一実施形態に係る移動端末装置の概略的な構成を示すブロック図である。
【図３】本発明の一実施形態に係るマクロ基地局装置の概略的な構成を示すブロック図である。
【図４】本発明の一実施形態に係る小セル基地局装置の概略的な構成を示すブロック図である。
【図５】本発明の一実施形態に係る通信システムにおいて行われる処理（ＰＣｅｌｌとＳＣｅｌｌの切り替えにより通信接続断を回避する処理）の例を説明するための図である。
【図６】ＳＣｅｌｌとの無線リンクを介したＰＣｅｌｌのハンドオーバの手続きの一例を示すシーケンス図である。
【図７】ＰＣｅｌｌのハンドオーバの手続きの一例を示すシーケンス図である。
【図８】ＰＣｅｌｌのハンドオーバの失敗と再接続処理の例を説明するための図である。
【発明を実施するための形態】
【００２１】
以下、図面を参照し、本発明の実施形態について説明する。
＜本実施形態に係る通信システムの構成＞
本実施形態に係る通信システムでは、Ｃ−ＰｌａｎｅのデータはＰＣｅｌｌを介して送受信され、Ｕ−ＰｌａｎｅのデータはＰＣｅｌｌとＳＣｅｌｌとのいずれか一方、若しくは、両方を介して送受信されるとする。また、本実施形態に係る通信システムでは、マクロ基地局装置と小セル基地局装置は、それぞれ、ＰＣｅｌｌとして接続することもでき、ＳＣｅｌｌとして接続することもできるとする。
【００２２】
図１は、本発明の一実施形態に係る通信システムの概略的な構成を示すブロック図である。
本実施形態に係る通信システムは、複数（図１の例では、２個示す。）のマクロ基地局装置１−１〜１−２と、複数（図１の例では、３個示す。）の小セル基地局装置２−１〜２−３と、複数（図１の例では、１個のみ示す。）の移動端末装置（端末装置の一例）２１−１を備える。また、図１には、各マクロ基地局装置１−１〜１−２のセル（通信領域）１１−１〜１１−２と、各小セル基地局装置２−１〜２−３のセル（通信領域）１２−１〜１２−３を示してある。
【００２３】
図１の例では、小セル基地局装置２−１〜２−２のセル１２−１〜１２−２は、マクロ基地局装置１−１のセル１１−１に含まれており、また、２個のマクロ基地局装置１−１〜１−２のセル１１−１〜１１−２と１個の小セル基地局装置２−３のセル１２−３は、互いに重複する領域（エリア）を有している。
図１の例では、移動端末装置２１−１について、マクロ基地局装置１−１がＰＣｅｌｌでありＣ−Ｐｌａｎｅのデータ（信号）を通信し、小セル基地局装置２−１がＳＣｅｌｌでありＵ−Ｐｌａｎｅのデータ（信号）を通信する。
【００２４】
本実施形態では、各マクロ基地局装置１−１〜１−２と各小セル基地局装置２−１〜２−３は、互いに直接又は間接に通信することが可能となるように接続されている。この通信としては、例えば、有線の通信が用いられてもよく、又は、無線の通信が用いられてもよい。
本実施形態に係る通信システムでは、移動端末装置２１−１は、Ｃ／Ｕ分離を用いたマクロ基地局装置１−１〜１−２と小セル基地局装置２−１〜２−３との同時通信が可能である。
なお、通信システムにおいて、マクロ基地局装置の数や、小セル基地局装置の数や、移動端末装置の数としては、それぞれ、様々な数が用いられてもよい。
【００２５】
＜本実施形態に係る移動端末装置の構成＞
図２は、本発明の一実施形態に係る移動端末装置の概略的な構成を示すブロック図である。本実施形態では、各移動端末装置は同様な構成を有し同様な動作を行うため、これらをまとめて移動端末装置２１として説明する。
本実施形態に係る移動端末装置２１は、アンテナ１０１と、無線通信部１０２と、入力部１０３と、出力部１０４と、記憶部１０５と、制御部１０６を備える。
制御部１０６は、接続制御部２０１と、情報送信制御部２０２と、情報受信制御部２０３を備える。
【００２６】
アンテナ１０１は、無線の信号を通信（送信及び受信）する。
無線通信部１０２は、送信対象の信号を処理してアンテナ１０１から無線により送信し、アンテナ１０１により受信された無線の信号を処理する。無線通信部１０２は、例えば、基地局装置（本実施形態では、マクロ基地局装置１−１〜１−２や小セル基地局装置２−１〜２−３）との間で無線により通信する。
入力部１０３は、外部からの入力を行う。入力部１０３は、例えば、ユーザ（人）により行われる操作を受け付ける操作部を有する。操作部は、例えば、タッチパネル或いはキーなどから構成される。また、入力部１０３は、例えば、外部から音（例えば、音声）を入力する音声入力部を有する。また、入力部１０３は、例えば、外部のメモリ或いは装置などからデータを入力するデータ入力部を有する。
出力部１０４は、外部への出力を行う。出力部１０４は、例えば、情報を画面に表示する表示部を有する。表示部は、例えば、液晶画面などから構成される。また、出力部１０４は、例えば、外部へ音（例えば、音声）を出力する音声出力部を有する。また、出力部１０４は、例えば、外部のメモリ或いは装置などへデータを出力するデータ出力部を有する。
記憶部１０５は、各種の情報を記憶する。記憶部１０５は、例えば、メモリから構成される。記憶部１０５は、例えば、制御部１０６などのプロセッサにより処理されるプログラムを記憶する。
制御部１０６は、各種の処理や制御を行う。
【００２７】
接続制御部２０１は、無線通信部１０２により、ＰＣｅｌｌとの間で無線通信が可能となるように接続する機能、及び、無線通信部１０２により、ＳＣｅｌｌとの間で無線通信が可能となるように接続する機能を有する。
情報送信制御部２０２は、ＰＣｅｌｌのハンドオーバの処理において、ハンドオーバの処理に関する情報を無線通信部１０２によりＳＣｅｌｌへ無線により送信する。
情報受信制御部２０３は、ＰＣｅｌｌのハンドオーバの処理において、ハンドオーバの処理に関する情報を無線通信部１０２によりＳＣｅｌｌから受信する。
【００２８】
＜本実施形態に係るマクロ基地局装置の構成＞
図３は、本発明の一実施形態に係るマクロ基地局装置の概略的な構成を示すブロック図である。本実施形態では、各マクロ基地局装置は同様な構成を有し同様な動作を行うため、これらをまとめてマクロ基地局装置１として説明する。
本実施形態に係るマクロ基地局装置１は、アンテナ１２１と、無線通信部１２２と、通信部１２３と、記憶部１２４と、制御部１２５を備える。
制御部１２５は、従情報受信制御部３０１と、従情報送信制御部３０２と、主情報受信制御部３０３と、主情報送信制御部３０４を備える。
【００２９】
アンテナ１２１は、無線の信号を通信（送信及び受信）する。
無線通信部１２２は、送信対象の信号を処理してアンテナ１２１から無線により送信し、アンテナ１２１により受信された無線の信号を処理する。無線通信部１２２は、例えば、移動端末装置２１−１との間で無線により通信する。
通信部１２３は、他の基地局装置（マクロ基地局装置及び小セル基地局装置）との間で情報を通信（送信及び受信）する。この通信は、例えば、有線の回線を介して行われてもよく、又は、無線の回線を介して行われてもよい。
記憶部１２４は、各種の情報を記憶する。記憶部１２４は、例えば、メモリから構成される。記憶部１２４は、例えば、制御部１２５などのプロセッサにより処理されるプログラムを記憶する。また、記憶部１２４は、例えば、無線通信が可能であるように接続している移動端末装置２１−１に関する情報（例えば、管理するための情報）を記憶する。
制御部１２５は、各種の処理や制御を行う。
【００３０】
従情報受信制御部３０１は、ＳＣｅｌｌとして無線通信部１２２により移動端末装置２１−１との間で無線通信が可能であるように接続しているときに、移動端末装置２１−１からハンドオーバの処理に関する情報を受信する。
従情報送信制御部３０２は、ＳＣｅｌｌとして無線通信部１２２により移動端末装置２１−１との間で無線通信が可能であるように接続しているときに、従情報受信制御部３０１により受信したハンドオーバの処理に関する情報を、ＰＣｅｌｌとして移動端末装置２１−１との間で無線通信が可能であるように接続している（又は、接続していた）基地局装置へ送信する。
主情報受信制御部３０３は、ＰＣｅｌｌとして無線通信部１２２により移動端末装置２１−１との間で無線通信が可能であるように接続しているとき（又は、接続していたとき）に、ＳＣｅｌｌとして移動端末装置２１−１との間で無線通信が可能であるように接続している基地局装置からハンドオーバの処理に関する情報を受信する。
【００３１】
主情報送信制御部３０４は、ＰＣｅｌｌとして無線通信部１２２により移動端末装置２１−１との間で無線通信が可能であるように接続しているとき（又は、接続していたとき）に、ハンドオーバの処理に関する情報を、ＳＣｅｌｌとして移動端末装置２１−１との間で無線通信が可能であるように接続している基地局装置へ送信する。
従情報受信制御部３０１は、ＳＣｅｌｌとして無線通信部１２２により移動端末装置２１−１との間で無線通信が可能であるように接続しているときに、ＰＣｅｌｌとして移動端末装置２１−１との間で無線通信が可能であるように接続している（又は、接続していた）基地局装置からハンドオーバの処理に関する情報を受信する。
従情報送信制御部３０２は、ＳＣｅｌｌとして無線通信部１２２により移動端末装置２１−１との間で無線通信が可能であるように接続しているときに、従情報受信制御部３０１によりＰＣｅｌｌから受信したハンドオーバの処理に関する情報を無線通信部１２２により移動端末装置２１−１へ無線により送信する。
【００３２】
＜本実施形態に係る小セル基地局装置の構成＞
図４は、本発明の一実施形態に係る小セル基地局装置の概略的な構成を示すブロック図である。本実施形態では、各小セル基地局装置は同様な構成を有し同様な動作を行うため、これらをまとめて小セル基地局装置２として説明する。
本実施形態に係る小セル基地局装置２は、アンテナ１４１と、無線通信部１４２と、通信部１４３と、記憶部１４４と、制御部１４５を備える。
制御部１４５は、従情報受信制御部４０１と、従情報送信制御部４０２と、主情報受信制御部４０３と、主情報送信制御部４０４を備える。
【００３３】
アンテナ１４１は、無線の信号を通信（送信及び受信）する。
無線通信部１４２は、送信対象の信号を処理してアンテナ１４１から無線により送信し、アンテナ１４１により受信された無線の信号を処理する。無線通信部１４２は、例えば、移動端末装置２１−１との間で無線により通信する。
通信部１４３は、他の基地局装置（マクロ基地局装置及び小セル基地局装置）との間で情報を通信（送信及び受信）する。この通信は、例えば、有線の回線を介して行われてもよく、又は、無線の回線を介して行われてもよい。
記憶部１４４は、各種の情報を記憶する。記憶部１４４は、例えば、メモリから構成される。記憶部１４４は、例えば、制御部１４５などのプロセッサにより処理されるプログラムを記憶する。また、記憶部１４４は、例えば、無線通信が可能であるように接続している移動端末装置２１−１に関する情報（例えば、管理するための情報）を記憶する。
制御部１４５は、各種の処理や制御を行う。
【００３４】
従情報受信制御部４０１は、ＳＣｅｌｌとして無線通信部１４２により移動端末装置２１−１との間で無線通信が可能であるように接続しているときに、移動端末装置２１−１からハンドオーバの処理に関する情報を受信する。
従情報送信制御部４０２は、ＳＣｅｌｌとして無線通信部１４２により移動端末装置２１−１との間で無線通信が可能であるように接続しているときに、従情報受信制御部４０１により受信したハンドオーバの処理に関する情報を、ＰＣｅｌｌとして移動端末装置２１−１との間で無線通信が可能であるように接続している（又は、接続していた）基地局装置へ送信する。
主情報受信制御部４０３は、ＰＣｅｌｌとして無線通信部１４２により移動端末装置２１−１との間で無線通信が可能であるように接続しているとき（又は、接続していたとき）に、ＳＣｅｌｌとして移動端末装置２１−１との間で無線通信が可能であるように接続している基地局装置からハンドオーバの処理に関する情報を受信する。
【００３５】
主情報送信制御部４０４は、ＰＣｅｌｌとして無線通信部１４２により移動端末装置２１−１との間で無線通信が可能であるように接続しているとき（又は、接続していたとき）に、ハンドオーバの処理に関する情報を、ＳＣｅｌｌとして移動端末装置２１−１との間で無線通信が可能であるように接続している基地局装置へ送信する。
従情報受信制御部４０１は、ＳＣｅｌｌとして無線通信部１４２により移動端末装置２１−１との間で無線通信が可能であるように接続しているときに、ＰＣｅｌｌとして移動端末装置２１−１との間で無線通信が可能であるように接続している（又は、接続していた）基地局装置からハンドオーバの処理に関する情報を受信する。
従情報送信制御部４０２は、ＳＣｅｌｌとして無線通信部１４２により移動端末装置２１−１との間で無線通信が可能であるように接続しているときに、従情報受信制御部４０１によりＰＣｅｌｌから受信したハンドオーバの処理に関する情報を無線通信部１４２により移動端末装置２１−１へ無線により送信する。
【００３６】
＜本実施形態に係る通信システムにおいて行われる処理＞
図５は、本発明の一実施形態に係る通信システムにおいて行われる処理（ＰＣｅｌｌとＳＣｅｌｌの切り替えにより通信接続断を回避する処理）の例を説明するための図である。
図５には、本処理を説明するための構成として、２個のマクロ基地局装置１−１〜１−２と、小セル基地局装置２−３と、移動端末装置２１−１ａと、各マクロ基地局装置１−１〜１−２のセル１１−１〜１１−２と、小セル基地局装置２−３のセル１２−３を示してある。また、図５には、移動端末装置２１−１ａが移動したものを、移動端末装置２１−１ｂとして示してある。
【００３７】
移動端末装置２１−１ａについて、マクロ基地局装置１−１がＰＣｅｌｌでありＣ−Ｐｌａｎｅのデータ（信号）を通信し、小セル基地局装置２−３がＳＣｅｌｌでありＵ−Ｐｌａｎｅのデータ（信号）を通信する、とする。
本実施形態に係る通信システムでは、概略的には、移動端末装置２１−１ａは、マクロ基地局装置１−１からマクロ基地局装置１−２へのＰＣｅｌｌのハンドオーバについて、ハンドオーバに関するメッセージをＳＣｅｌｌとの無線リンクを介して送受信する。
【００３８】
具体例として、本実施形態に係る通信システムでは、次の処理（１）〜（３）を行う。
（１）接続制御部２０１により、マクロ基地局装置１−１をＰＣｅｌｌとして接続しているとともに小セル基地局装置２−３をＳＣｅｌｌとして接続している移動端末装置２１−１ａは、基地局ネットワークからあらかじめ通知された条件に従って、ＰＣｅｌｌ及び周辺の基地局装置の電力を監視する。
そして、移動端末装置２１−１ａは、ＰＣｅｌｌのハンドオーバの処理を実行する条件を満たしたことを検出した場合に、情報送信制御部２０２により、所定のメジャメントレポート（ＭＲ：Ｍｅａｓｕｒｅｍｅｎｔ  Ｒｅｐｏｒｔ）の信号を、ＳＣｅｌｌとの無線リンクを介して無線送信する。
【００３９】
（２）従情報受信制御部４０１により移動端末装置２１−１ａからＭＲの信号を受信したＳＣｅｌｌ（図５の例では、小セル基地局装置２−３）は、従情報送信制御部４０２により、ＰＣｅｌｌ（図５の例では、マクロ基地局装置１−１）との間で通信が可能であるように接続する回線（例えば、バックボーン回線であるＸ２回線やＳ１回線など）を介して、ＰＣｅｌｌとの間で情報交換を行い、移動端末装置２１−１ａから受信したＭＲに関する情報をＰＣｅｌｌへ送信して通知する。ＰＣｅｌｌは、主情報受信制御部３０３により、この情報を受信する。
【００４０】
（３）移動端末装置２１−１ａについて、マクロ基地局装置１−１（ハンドオーバ元の基地局装置）とマクロ基地局装置１−２（ハンドオーバ先の基地局装置）との間でＰＣｅｌｌのハンドオーバの処理を開始する。このとき、ハンドオーバ元の基地局装置（マクロ基地局装置１−１）と移動端末装置２１−１ａとの間でやり取りするＨＯメッセージ（ここでは、ハンドオーバ元の基地局装置から移動端末装置に対してハンドオーバを指示するメッセージ）を、ＰＣｅｌｌ（ここでは、ハンドオーバ元の基地局装置）が主情報送信制御部３０４によりＳＣｅｌｌ（ここでは、小セル基地局装置２−３）へ回線（例えば、バックボーン回線であるＸ２回線やＳ１回線など）を介して送信して通知し、その後、このメッセージの情報を従情報受信制御部４０１により受信した当該ＳＣｅｌｌが、従情報送信制御部４０２により移動端末装置２１−１ａとの間の無線リンクを介して移動端末装置２１−１ａへ無線送信する。移動端末装置２１−１ａは、情報受信制御部２０３により、このメッセージの情報を受信する。
また、移動端末装置２１−１ａとハンドオーバ先の基地局装置（ここでは、マクロ基地局装置１−２）との間におけるメッセージのやり取り（ＲＡＣＨ（Ｒａｎｄｏｍ  Ａｃｃｅｓｓ  Ｃｈａｎｎｅｌ）の処理）は、移動端末装置２１−１ａとハンドオーバ先の基地局装置との間の無線リンクを介して送受信される。
【００４１】
ここで、前記（１）及び前記（２）において、移動端末装置２１−１ａがＭＲの情報（ＭＲの信号）をＳＣｅｌｌへ送信し、ＳＣｅｌｌが当該情報を受信してＰＣｅｌｌ（ハンドオーバ元の基地局装置）へ送信し、また、前記（３）において、ハンドオーバ元の基地局装置が移動端末装置２１−１ａに対するハンドオーバの指示の情報（メッセージ）をＳＣｅｌｌへ送信し、ＳＣｅｌｌが当該情報を受信して移動端末装置２１−１ａへ送信する。
他の構成の一例として、前記（１）〜前記（３）の処理のうちで、前記（１）及び前記（２）において、移動端末装置２１−１ａがＭＲの情報（ＭＲの信号）をＳＣｅｌｌへ送信して、当該ＳＣｅｌｌを介してＰＣｅｌｌ（ハンドオーバ元の基地局装置）へ通知する代わりに、例えば、従来の技術と同様に、移動端末装置２１−１ａがＭＲの情報（ＭＲの信号）をＰＣｅｌｌ（ハンドオーバ元の基地局装置）との無線リンクを介してＰＣｅｌｌへ送信して通知することも可能である。
また、他の構成の一例として、前記（１）〜前記（３）の処理のうちで、前記（３）において、ハンドオーバ元の基地局装置（マクロ基地局装置１−１）が移動端末装置２１−１ａに対するハンドオーバの指示の情報（メッセージ）をＳＣｅｌｌへ送信して、当該ＳＣｅｌｌを介して移動端末装置２１−１ａへ通知する代わりに、例えば、従来の技術と同様に、ハンドオーバ元の基地局装置と移動端末装置２１−１ａとの間でやり取りするＨＯメッセージ（ハンドオーバの指示）を、ハンドオーバ元の基地局装置が移動端末装置２１−１ａとの間の無線リンクを介して移動端末装置２１−１ａへ送信して通知することも可能である。
【００４２】
＜本実施形態に係るＰＣｅｌｌのハンドオーバの手続きの例＞
図６は、ＳＣｅｌｌとの無線リンクを介したＰＣｅｌｌのハンドオーバの手続きの一例を示すシーケンス図である。図６の例に係るハンドオーバの手続きは、概略的には、図７に示される従来の技術と同様なハンドオーバの手続きに対して一部が異なるものである。
図６は、移動端末装置（ＵＥ）２１と、ＳＣｅｌｌである基地局装置２−３と、ＰＣｅｌｌのハンドオーバの元（Ｓｏｕｒｃｅ）となる基地局装置（ｅＮＢ）１−１と、ＰＣｅｌｌのハンドオーバの先（Ｔａｒｇｅｔ）となる基地局装置（ｅＮＢ）１−２と、上位の装置であるＭＭＥ（Ｍｏｂｉｌｉｔｙ  Ｍａｎａｇｅｍｅｎｔ  Ｅｎｔｉｔｙ）５０１と、サービングゲートウェイ（Ｓｅｒｖｉｎｇ  Ｇａｔｅｗａｙ）５０２について行われるハンドオーバの手続きの例（手順１）〜（手順１１）を示してある。
なお、この例では、ハンドオーバの元（Ｓｏｕｒｃｅ）となる基地局装置（ｅＮＢ）１−１はマクロ基地局装置１−１であり、ハンドオーバの先（Ｔａｒｇｅｔ）となる基地局装置（ｅＮＢ）１−２はマクロ基地局装置１−２であり、ＳＣｅｌｌである基地局装置２−３は小セル基地局装置２−３である。
【００４３】
図６に示されるハンドオーバの手続きの概要を説明する。
（手順１）移動端末装置２１と現在接続している基地局装置（ハンドオーバ元の基地局装置）１−１から移動端末装置２１へ電力測定条件やＭＲ送信条件を通知する（Ｍｅａｓｕｒｅｍｅｎｔ  Ｃｏｎｔｒｏｌ）。
（手順２）移動端末装置２１は、ＭＲ送信条件を満たすと、ＳＣｅｌｌである基地局装置２−３に対して、電力測定結果をＭＲとして通知する。そして、ＳＣｅｌｌである基地局装置２−３は、移動端末装置２１から受信したＭＲを、移動端末装置２１が現在接続している基地局装置１−１に対して、通知する（Ｍｅａｓｕｒｅｍｅｎｔ  Ｒｅｐｏｒｔｓ）。
（手順３）現在接続している基地局装置１−１は、受信したＭＲを参照し、ハンドオーバの実施の有無を判定する（ＨＯ  ｄｅｃｉｓｉｏｎ）。
【００４４】
（手順４）ハンドオーバの実施をする場合には、ハンドオーバ元の基地局装置１−１からハンドオーバ先の基地局装置１−２へハンドオーバの実施を要求する（Ｈａｎｄｏｖｅｒ  Ｒｅｑｕｅｓｔ）。
（手順５）ハンドオーバ先の基地局装置１−２は、ハンドオーバの受け入れの可否を判断する（Ａｄｍｉｓｓｉｏｎ  Ｃｏｎｔｒｏｌ）。
（手順６）ハンドオーバの実施を許可する場合には、ハンドオーバ先の基地局装置１−２からハンドオーバ元の基地局装置１−１へハンドオーバの実施の許可を通知する（Ｈａｎｄｏｖｅｒ  Ｒｅｑｕｅｓｔ  Ａｃｋ）。
【００４５】
（手順７）ハンドオーバ元の基地局装置１−１からＳＣｅｌｌである基地局装置２−３へ、ハンドオーバ先の基地局装置１−２への接続に必要な情報を転送し、ハンドオーバ先の基地局装置１−２へのハンドオーバの実施を指示する信号を送信する。そして、ＳＣｅｌｌである基地局装置２−３は、ハンドオーバ元の基地局装置１−１から受信した内容（ここでは、ハンドオーバ先の基地局装置１−２への接続に必要な情報、及び、ハンドオーバ先の基地局装置１−２へのハンドオーバの実施を指示する信号）を移動端末装置２１へ送信する（ＲＲＣ  ｃｏｎｎ．  Ｒｅｃｏｎｆ．  ｉｎｃｌ．  ｍｏｂｉｌｉｔｙ  Ｃｏｎｔｒｏｌ  ｉｎｆｏｒｍａｔｉｏｎ）。
（手順８）ハンドオーバ元の基地局装置１−１からハンドオーバ先の基地局装置１−２へ、未送信データを転送する（ＳＮ  Ｓｔａｔｕｓ  Ｔｒａｎｓｆｅｒ）。
（手順９）移動端末装置２１は、ハンドオーバ先の基地局装置１−２に対して、上りリンクの同期処理（Ｎｏｎ−ｃｏｎｔｅｎｔｉｏｎ  ｒａｎｄｏｍ  ａｃｃｅｓｓ  ｐｒｏｃｅｄｕｒｅ）を実施する（Ｓｙｎｃｈｒｏｎｉｓａｔｉｏｎ）。
【００４６】
（手順１０）ハンドオーバ先の基地局装置１−２から移動端末装置２１へ上りリンク（ＵＬ：Ｕｐ  Ｌｉｎｋ）のリソース割り当てを行う（ＵＬ  ａｌｌｏｃａｔｉｏｎ  ＋  ＴＡ  ｆｏｒ  ＵＥ）。
（手順１１）移動端末装置２１からハンドオーバ先の基地局装置１−２へ接続完了を通知する（ＲＲＣ  ｃｏｎｎ．  Ｒｅｃｏｎｆ．  Ｃｏｍｐｌｅｔｅ）。
【００４７】
＜従来の技術と同様なＰＣｅｌｌのハンドオーバの手続きの例＞
図７は、ＰＣｅｌｌのハンドオーバの手続きの一例を示すシーケンス図である。図７の例に係るハンドオーバの手続きは、従来の技術と同様であり、非特許文献１におけるＦｉｇｕｒｅ  １０．１．２．１．１−１：Ｉｎｔｒａ−ＭＭＥ／Ｓｅｒｖｉｎｇ  Ｇａｔｅｗａｙ  ＨＯの手続きに相当する（詳細は、非特許文献１参照。）。
図７は、移動端末装置（ＵＥ）２１と、ハンドオーバの元（Ｓｏｕｒｃｅ）となる基地局装置（ｅＮＢ）１−１と、ハンドオーバの先（Ｔａｒｇｅｔ）となる基地局装置（ｅＮＢ）１−２と、上位の装置であるＭＭＥ５０１と、サービングゲートウェイ５０２について行われるハンドオーバの手続きの例（手順１）〜（手順１１）を示してある。
なお、この例では、ハンドオーバの元（Ｓｏｕｒｃｅ）となる基地局装置（ｅＮＢ）１−１はマクロ基地局装置１−１であり、ハンドオーバの先（Ｔａｒｇｅｔ）となる基地局装置（ｅＮＢ）１−２はマクロ基地局装置１−２である。
【００４８】
図７に示されるハンドオーバの手続きの概要を説明する。
（手順１）移動端末装置２１と現在接続している基地局装置（ハンドオーバ元の基地局装置）１−１から移動端末装置２１へ電力測定条件やＭＲ送信条件を通知する（Ｍｅａｓｕｒｅｍｅｎｔ  Ｃｏｎｔｒｏｌ）。
（手順２）移動端末装置２１は、ＭＲ送信条件を満たすと、現在接続している基地局装置１−１に対して、電力測定結果をＭＲとして通知する（Ｍｅａｓｕｒｅｍｅｎｔ  Ｒｅｐｏｒｔｓ）。
（手順３）現在接続している基地局装置１−１は、受信したＭＲを参照し、ハンドオーバの実施の有無を判定する（ＨＯ  ｄｅｃｉｓｉｏｎ）。
【００４９】
（手順４）ハンドオーバの実施をする場合には、ハンドオーバ元の基地局装置１−１からハンドオーバ先の基地局装置１−２へハンドオーバの実施を要求する（Ｈａｎｄｏｖｅｒ  Ｒｅｑｕｅｓｔ）。
（手順５）ハンドオーバ先の基地局装置１−２は、ハンドオーバの受け入れの可否を判断する（Ａｄｍｉｓｓｉｏｎ  Ｃｏｎｔｒｏｌ）。
（手順６）ハンドオーバの実施を許可する場合には、ハンドオーバ先の基地局装置１−２からハンドオーバ元の基地局装置１−１へハンドオーバの実施の許可を通知する（Ｈａｎｄｏｖｅｒ  Ｒｅｑｕｅｓｔ  Ａｃｋ）。
【００５０】
（手順７）ハンドオーバ元の基地局装置１−１から移動端末装置２１へ、ハンドオーバ先の基地局装置１−２への接続に必要な情報を転送し、ハンドオーバ先の基地局装置１−２へのハンドオーバの実施を指示する（ＲＲＣ  ｃｏｎｎ．  Ｒｅｃｏｎｆ．  ｉｎｃｌ．  ｍｏｂｉｌｉｔｙ  Ｃｏｎｔｒｏｌ  ｉｎｆｏｒｍａｔｉｏｎ）。
（手順８）ハンドオーバ元の基地局装置１−１からハンドオーバ先の基地局装置１−２へ、未送信データを転送する（ＳＮ  Ｓｔａｔｕｓ  Ｔｒａｎｓｆｅｒ）。
（手順９）移動端末装置２１は、ハンドオーバ先の基地局装置１−２に対して、上りリンクの同期処理（Ｎｏｎ−ｃｏｎｔｅｎｔｉｏｎ  ｒａｎｄｏｍ  ａｃｃｅｓｓ  ｐｒｏｃｅｄｕｒｅ）を実施する（Ｓｙｎｃｈｒｏｎｉｓａｔｉｏｎ）。
【００５１】
（手順１０）ハンドオーバ先の基地局装置１−２から移動端末装置２１へ上りリンク（ＵＬ：Ｕｐ  Ｌｉｎｋ）のリソース割り当てを行う（ＵＬ  ａｌｌｏｃａｔｉｏｎ  ＋  ＴＡ  ｆｏｒ  ＵＥ）。
（手順１１）移動端末装置２１からハンドオーバ先の基地局装置１−２へ接続完了を通知する（ＲＲＣ  ｃｏｎｎ．  Ｒｅｃｏｎｆ．  Ｃｏｍｐｌｅｔｅ）。
【００５２】
＜本実施形態の構成及び効果のまとめ＞
以上のように、本実施形態に係る通信システムでは、移動端末装置２１−１ａが複数の基地局装置に同時に接続して無線通信することが可能な構成において、移動端末装置２１−１ａについて、一の基地局装置（図５の例では、ＰＣｅｌｌであるマクロ基地局装置１−１）との接続を新たな基地局装置（図５の例では、ＰＣｅｌｌとなるマクロ基地局装置１−２）との接続へ切り替えるハンドオーバを行うときに、既に接続が確立されている他の基地局装置（図５の例では、ＳＣｅｌｌである小セル基地局装置２−３）を介してハンドオーバ（移動端末装置２１−１ａと接続する基地局装置の切り替え）に関連するメッセージ（例えば、移動端末装置２１−１ａから基地局ネットワークへのＭＲや、基地局ネットワークから移動端末装置２１−１ａへのハンドオーバの指示）をやり取りすることにより、基地局装置の接続の切り替え中に移動端末装置２１−１ａと切り替え元の基地局装置との通信接続が切断されることによって生じるハンドオーバの失敗を抑制（例えば、回避）する。
【００５３】
本実施形態に係る通信システムでは、一例として、移動端末装置２１−１ａは、ＰＣｅｌｌのハンドオーバの処理において、ＰＣｅｌｌのハンドオーバの実施に関するＭＲを、ＳＣｅｌｌとの無線リンクを介して、基地局ネットワークに送信し、そして、当該基地局ネットワーク（例えば、当該ＳＣｅｌｌ）は当該ＭＲを、回線を介して、ＰＣｅｌｌに転送する。また、本実施形態に係る通信システムでは、一例として、ＰＣｅｌｌのハンドオーバの処理において、基地局ネットワーク（例えば、ＰＣｅｌｌ）は、ＰＣｅｌｌのハンドオーバの実施を指示するメッセージ（例えば、ＲＲＣ  Ｃｏｎｎｅｃｔｉｏｎ  Ｒｅｃｏｎｆｉｇｕｒａｔｉｏｎ（ＲＲＣ  ｃｏｎｎ．  Ｒｅｃｏｎｆ．）のメッセージ）を、回線を介して、ＳＣｅｌｌに転送し、そして、当該ＳＣｅｌｌは当該メッセージを、無線リンクを介して、移動端末装置２１−１ａに送信する。なお、これら２つの処理は、例えば、いずれか一方のみが実施されてもよく、又は、これら両方が実施されてもよい。
【００５４】
以上のように、本実施形態に係る通信システムによると、ＰＣｅｌｌのハンドオーバに関するＭＲを、移動端末装置２１−１ａとＳＣｅｌｌとの無線リンクを介して送信することにより、例えば、ハンドオーバのタイミングが遅いためにハンドオーバ元の基地局装置への上りリンク信号（ここでは、ＭＲの信号）が届かないことが原因で発生するハンドオーバの失敗を抑制することができる。
また、本実施形態に係る通信システムによると、基地局ネットワークから移動端末装置２１−１ａへのハンドオーバの指示を、移動端末装置２１−１ａとＳＣｅｌｌとの無線リンクを介して送信することにより、例えば、ハンドオーバのタイミングが遅いためにハンドオーバ元の基地局装置からの下りリンク信号（ここでは、ハンドオーバの指示の信号）が届かないことが原因で発生するハンドオーバの失敗を抑制することができる。
このように、本実施形態に係る通信システムによると、移動端末装置２１−１ａとハンドオーバ元の基地局装置との通信の品質が劣化しても、ハンドオーバの失敗を抑制することができる。
【００５５】
［以上の実施形態に係る構成例］
一構成例として、基地局装置（図５の例では、マクロ基地局装置１−１〜１−２や小セル基地局装置２−３）との間で無線により通信する無線通信部（本実施形態では、無線通信部１０２）と、前記無線通信部により、主となる基地局装置（本実施形態では、ＰＣｅｌｌ）との間で無線通信が可能となるように接続するとともに、従となる基地局装置（本実施形態では、ＳＣｅｌｌ）との間で無線通信が可能となるように接続する接続制御部（本実施形態では、接続制御部２０１）と、前記主となる基地局装置のハンドオーバの処理において、前記ハンドオーバの処理に関する情報を前記無線通信部により前記従となる基地局装置へ無線により送信する情報送信制御部（本実施形態では、情報送信制御部２０２）と、を備えることを特徴とする端末装置（図５の例では、移動端末装置２１−１ａ）である。
【００５６】
一構成例として、基地局装置（図５の例では、マクロ基地局装置１−１〜１−２や小セル基地局装置２−３）との間で無線により通信する無線通信部（本実施形態では、無線通信部１０２）と、前記無線通信部により、主となる基地局装置（本実施形態では、ＰＣｅｌｌ）との間で無線通信が可能となるように接続するとともに、従となる基地局装置（本実施形態では、ＳＣｅｌｌ）との間で無線通信が可能となるように接続する接続制御部（本実施形態では、接続制御部２０１）と、前記主となる基地局装置のハンドオーバの処理において、前記ハンドオーバの処理に関する情報を前記無線通信部により前記従となる基地局装置から受信する情報受信制御部（本実施形態では、情報受信制御部２０３）と、を備えることを特徴とする端末装置（図５の例では、移動端末装置２１−１ａ）である。
【００５７】
一構成例として、端末装置（図５の例では、移動端末装置２１−１ａ）との間で無線により通信する無線通信部（本実施形態では、無線通信部１２２、１４２）と、従となる基地局装置（本実施形態では、ＳＣｅｌｌ）として前記無線通信部により端末装置との間で無線通信が可能であるように接続しているときに、前記端末装置からハンドオーバの処理に関する情報を受信する従情報受信制御部（本実施形態では、従情報受信制御部３０１、４０１）と、従となる基地局装置として前記無線通信部により端末装置との間で無線通信が可能であるように接続しているときに、前記従情報受信制御部により受信したハンドオーバの処理に関する情報を、主となる基地局装置（本実施形態では、ＰＣｅｌｌ）として前記端末装置との間で無線通信が可能であるように接続している（又は、接続していた）基地局装置へ送信する従情報送信制御部（本実施形態では、従情報送信制御部３０２、４０２）と、主となる基地局装置として前記無線通信部により端末装置との間で無線通信が可能であるように接続しているとき（又は、接続していたとき）に、従となる基地局装置として前記端末装置との間で無線通信が可能であるように接続している基地局装置からハンドオーバの処理に関する情報を受信する主情報受信制御部（本実施形態では、主情報受信制御部３０３、４０３）と、を備えることを特徴とする基地局装置（図５の例では、マクロ基地局装置１−１〜１−２や小セル基地局装置２−３）である。
【００５８】
一構成例として、端末装置（図５の例では、移動端末装置２１−１ａ）との間で無線により通信する無線通信部（本実施形態では、無線通信部１２２、１４２）と、主となる基地局装置（本実施形態では、ＰＣｅｌｌ）として前記無線通信部により端末装置との間で無線通信が可能であるように接続しているとき（又は、接続していたとき）に、ハンドオーバの処理に関する情報を、従となる基地局装置（本実施形態では、ＳＣｅｌｌ）として前記端末装置との間で無線通信が可能であるように接続している基地局装置へ送信する主情報送信制御部（本実施形態では、主情報送信制御部３０４、４０４）と、従となる基地局装置として前記無線通信部により端末装置との間で無線通信が可能であるように接続しているときに、主となる基地局装置として端末装置との間で無線通信が可能であるように接続している（又は、接続していた）基地局装置からハンドオーバの処理に関する情報を受信する従情報受信制御部（本実施形態では、従情報受信制御部３０１、４０１）と、従となる基地局装置として前記無線通信部により端末装置との間で無線通信が可能であるように接続しているときに、前記従情報受信制御部により前記主となる基地局装置から受信したハンドオーバの処理に関する情報を前記無線通信部により前記端末装置へ無線により送信する従情報送信制御部（本実施形態では、従情報送信制御部３０２、４０２）と、を備えることを特徴とする基地局装置（図５の例では、マクロ基地局装置１−１〜１−２や小セル基地局装置２−３）である。
【００５９】
一構成例として、端末装置と、複数の基地局装置を有し、前記端末装置は、主となる基地局装置のハンドオーバの処理において、前記ハンドオーバの処理に関する情報を従となる基地局装置へ無線により送信し、従となる基地局装置は、前記端末装置からハンドオーバの処理に関する情報を受信し、受信したハンドオーバの処理に関する情報を主となる基地局装置へ送信し、前記主となる基地局装置は、前記従となる基地局装置からハンドオーバの処理に関する情報を受信する、ことを特徴とする通信システム（本実施形態では、図１や図５に示されるような通信システム）である。
【００６０】
一構成例として、端末装置と、複数の基地局装置を有し、主となる基地局装置は、ハンドオーバの処理に関する情報を従となる基地局装置へ送信し、前記従となる基地局装置は、前記主となる基地局装置から前記ハンドオーバの処理に関する情報を受信し、受信したハンドオーバの処理に関する情報を前記端末装置へ無線により送信し、前記端末装置は、前記従となる基地局装置から前記ハンドオーバの処理に関する情報を受信する、ことを特徴とする通信システム（本実施形態では、図１や図５に示されるような通信システム）である。
【００６１】
一構成例として、端末装置は、主となる基地局装置のハンドオーバの処理において、前記ハンドオーバの処理に関する情報を従となる基地局装置へ無線により送信し、従となる基地局装置は、前記端末装置からハンドオーバの処理に関する情報を受信し、受信したハンドオーバの処理に関する情報を主となる基地局装置へ送信し、前記主となる基地局装置は、前記従となる基地局装置からハンドオーバの処理に関する情報を受信する、ことを特徴とする通信方法（本実施形態では、図１や図５に示されるような通信システムにおいて行われる通信方法）である。
【００６２】
一構成例として、主となる基地局装置は、ハンドオーバの処理に関する情報を従となる基地局装置へ送信し、前記従となる基地局装置は、前記主となる基地局装置から前記ハンドオーバの処理に関する情報を受信し、受信したハンドオーバの処理に関する情報を端末装置へ無線により送信し、前記端末装置は、前記従となる基地局装置から前記ハンドオーバの処理に関する情報を受信する、ことを特徴とする通信方法（本実施形態では、図１や図５に示されるような通信システムにおいて行われる通信方法）である。
【００６３】
［以上の実施形態のまとめ］
以上、本発明の実施形態について図面を参照して詳述したが、具体的な構成はこの実施形態に限られるものではなく、本発明の要旨を逸脱しない範囲の設計変更等も含まれる。
【００６４】
また、以上に示した各実施形態に係る各装置（例えば、移動端末装置、基地局装置）の機能を実現するためのプログラムをコンピュータ読み取り可能な記録媒体に記録して、この記録媒体に記録されたプログラムをコンピュータシステムに読み込ませ、実行することにより、処理を行ってもよい。
【００６５】
なお、ここで言う「コンピュータシステム」とは、オペレーティング・システム（ＯＳ：Ｏｐｅｒａｔｉｎｇ  Ｓｙｓｔｅｍ）や周辺機器等のハードウェアを含むものであってもよい。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、フラッシュメモリ等の書き込み可能な不揮発性メモリ、ＤＶＤ（Ｄｉｇｉｔａｌ  Ｖｅｒｓａｔｉｌｅ  Ｄｉｓｋ）等の可搬媒体、コンピュータシステムに内蔵されるハードディスク等の記憶装置のことを言う。
【００６６】
更に、「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記のプログラムは、このプログラムを記憶装置等に格納したコンピュータシステムから、伝送媒体を介して、或いは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことを言う。
また、上記のプログラムは、前述した機能の一部を実現するためのものであっても良い。更に、前述した機能をコンピュータシステムに既に記録されているプログラムとの組み合わせで実現できるもの、いわゆる差分ファイル（差分プログラム）であっても良い。
【符号の説明】
【００６７】
１、１−１〜１−２、１００１−１〜１００１−２…マクロ基地局装置、２、２−１〜２−３、１００２−１…小セル基地局装置、１１−１〜１１−２、１２−１〜１２−３、１０１１−１〜１０１１−２、１０１２−１…セル（通信領域）、２１、２１−１、２１−１ａ〜２１−１ｂ、１０２１−１ａ〜２０２１−１ｂ…移動端末装置、１０１、１２１、１４１…アンテナ、１０２、１２２、１４２…無線通信部、１０３…入力部、１０４…出力部、１０５、１２４、１４４…記憶部、１０６、１２５、１４５…制御部、１２３、１４３…通信部、２０１…接続制御部、２０２…情報送信制御部、２０３…情報受信制御部、３０１、４０１…従情報受信制御部、３０２、４０２…従情報送信制御部、３０３、４０３…主情報受信制御部、３０４、４０４…主情報送信制御部、５０１…ＭＭＥ、５０２…サービングゲートウェイ
【図１】
2014165726.tif 000003
【図２】
2014165726.tif 000004
【図３】
2014165726.tif 000005
【図４】
2014165726.tif 000006
【図５】
2014165726.tif 000007
【図６】
2014165726.tif 000008
【図７】
2014165726.tif 000009
【図８】
2014165726.tif 000010